(57)【要約】【課題】デジタル一眼レフタイプのカメラに於いて、２つの撮像素子を用いてスルー画表示を実現することのできるデジタルカメラを提供することである。【解決手段】デジタルカメラのメインミラー４０が撮影光路から退避した状態に於いては、被写体光束に基づいて第１の画像データがメインＣＣＤ５０にて生成される。一方、上記メインミラー４０が撮影光路から退避していない状態に於いて、該メインミラー４０により反射された上記被写体光束に基づいて、スルー画用ＣＣＤ４３にて第２の画像データが生成される。液晶モニタ２６では、上記メインＣＣＤ５０若しくはスルー画用ＣＣＤ４３により生成された画像データに基づいて被写体像が表示される。そして、ＡＳＩＣ５５によって、液晶モニタ２６の表示制御、メインＣＣＤ５０及びスルー画用ＣＣＤ４３の駆動制御が行われる。【選択図】図２
2007028075.tif 000002
【特許請求の範囲】
【請求項１】
撮影光学系と、
上記撮影光学系を通過した被写体光学系を透過及び反射させるメインミラーと、
上記メインミラーが撮影光路から退避した状態に於いて、上記被写体光束に基づき第１の画像データを生成する第１の撮像手段と、
上記メインミラーが撮影光路から退避していない状態に於いて、該メインミラーにより反射された上記被写体光束に基づき第２の画像データを生成する第２の撮像手段と、
上記第１の撮像手段若しくは第２の撮像手段により生成された画像データに基づいて被写体像を表示する表示手段と、
上記表示手段による表示制御、上記第１の撮像手段及び第２の撮像手段の駆動制御を行う制御手段と、
を具備することを特徴とするデジタルカメラ。
【請求項２】
上記第１の画像データ及び上記第２の画像データのうち、上記制御手段に供給される画像データを切り替えて出力する切り替え手段を更に具備することを特徴とする請求項１に記載のデジタルカメラ。
【請求項３】
撮影準備動作の開始を指示する第１のスイッチと、
上記第１の撮像手段による撮影動作の開始を指示する第２のスイッチと、
上記第２の画像データに基づき、上記表示手段が被写体像を連続して表示するスルー画表示モードを設定する設定手段と、
を更に具備し、
上記制御手段は、上記設定手段の設定動作に連動して上記第２の撮像手段を駆動させることを特徴とする請求項１に記載のデジタルカメラ。
【請求項４】
上記制御手段は、上記第１のスイッチによる撮影準備動作開始の指示に連動して上記第１の撮像手段を駆動させることを特徴とする請求項３に記載のデジタルカメラ。
【請求項５】
上記制御手段は、上記第１のスイッチによる撮影準備動作開始の指示に伴い、該制御手段自身の処理の負荷が重いか否かを判断することを特徴とする請求項３に記載のデジタルカメラ。
【請求項６】
上記制御手段は、該制御手段自身の処理の負荷が重いと判断した場合には、上記表示手段によるスルー画表示のフレームレートを低下させることを特徴とする請求項５に記載のデジタルカメラ。
【請求項７】
上記制御手段は、所定の演算処理後、上記フレームレートを復帰させることを特徴とする請求項６に記載のデジタルカメラ。
【請求項８】
上記制御手段は、上記第２のスイッチによる撮影動作開始の指示に連動して上記第２の撮像手段の駆動を停止させることを特徴とする請求項３に記載のデジタルカメラ。
【請求項９】
上記制御手段は、上記撮影動作の終了後に、上記第２の撮像手段を再駆動させることを特徴とする請求項８に記載のデジタルカメラ。
【請求項１０】
上記制御手段は、特定用途向け集積回路であることを特徴とする請求項１に記載のデジタルカメラ。
【発明の詳細な説明】
【技術分野】
【０００１】
本発明はデジタルカメラに関し、より詳細には、観察中の画像と撮影中の画像とを表示画面に表示可能なデジタルカメラの改良に関するものである。
【背景技術】
【０００２】
従来より、撮影レンズ等の撮影光学系により結像される被写体像を、撮像素子によって光電変換し、これにより得られた画像信号に基づいて液晶モニタ等の画像表示装置に表示するカメラが一般的に知られている（例えば、特許文献１参照）。
【０００３】
また、２つのＣＣＤを有して、何れかのそれぞれのＣＣＤから得られた画像信号の一方を出力するデジタルカメラが知られている（例えば、特許文献２参照）。
【特許文献１】特開２００３−３３００８２号公報
【特許文献２】特開２０００−３３３０５８号公報
【発明の開示】
【発明が解決しようとする課題】
【０００４】
ところで、撮像素子によって繰り返し撮像を行い、ほぼリアルタイムの動画像を表示装置に表示する、いわゆるスルー画表示を行うカメラが開発されている。
【０００５】
しかしながら、上述した特許文献１に記載されているようなデジタル一眼レフカメラは、クイックリターンミラーをアップさせることでＣＣＤに撮像して撮像しているため、ミラーダウンの状態ではＣＣＤに撮像させることができない。したがって、スルー画（ほぼリアルタイムの動画像）を表示装置に表示させることはできないものであった。
【０００６】
また、上記特許文献２に記載のデジタルカメラは、２つのＣＣＤを使用しているものの、低消費電力を目的としているものであり、スルー画表示への対応については何ら記載されていないものであった。
【０００７】
したがって、本発明の目的は、デジタル一眼レフタイプのカメラに於いて、２つの撮像素子を用いてスルー画表示を実現することのできるデジタルカメラを提供することである。
【課題を解決するための手段】
【０００８】
すなわち請求項１に記載の発明は、撮影光学系と、上記撮影光学系を通過した被写体光学系を透過及び反射させるメインミラーと、上記メインミラーが撮影光路から退避した状態に於いて、上記被写体光束に基づき第１の画像データを生成する第１の撮像手段と、上記メインミラーが撮影光路から退避していない状態に於いて、該メインミラーにより反射された上記被写体光束に基づき第２の画像データを生成する第２の撮像手段と、上記第１の撮像手段若しくは第２の撮像手段により生成された画像データに基づいて被写体像を表示する表示手段と、上記表示手段による表示制御、上記第１の撮像手段及び第２の撮像手段の駆動制御を行う制御手段と、を具備することを特徴とする。
【０００９】
請求項２に記載の発明は、請求項１に記載の発明に於いて、上記第１の画像データ及び上記第２の画像データのうち、上記制御手段に供給される画像データを切り替えて出力する切り替え手段を更に具備することを特徴とする。
【００１０】
請求項３に記載の発明は、請求項１に記載の発明に於いて、撮影準備動作の開始を指示する第１のスイッチと、上記第１の撮像手段による撮影動作の開始を指示する第２のスイッチと、上記第２の画像データに基づき、上記表示手段が被写体像を連続して表示するスルー画表示モードを設定する設定手段と、を更に具備し、上記制御手段は、上記設定手段の設定動作に連動して上記第２の撮像手段を駆動させることを特徴とする。
【００１１】
請求項４に記載の発明は、請求項３に記載の発明に於いて、上記制御手段は、上記第１のスイッチによる撮影準備動作開始の指示に連動して上記第１の撮像手段を駆動させることを特徴とする。
【００１２】
請求項５に記載の発明は、請求項３に記載の発明に於いて、上記制御手段は、上記第１のスイッチによる撮影準備動作開始の指示に伴い、該制御手段自身の処理の負荷が重いか否かを判断することを特徴とする。
【００１３】
請求項６に記載の発明は、請求項５に記載の発明に於いて、上記制御手段は、該制御手段自身の処理の負荷が重いと判断した場合には、上記表示手段によるスルー画表示のフレームレートを低下させることを特徴とする。
【００１４】
請求項７に記載の発明は、請求項６に記載の発明に於いて、上記制御手段は、所定の演算処理後、上記フレームレートを復帰させることを特徴とする。
【００１５】
請求項８に記載の発明は、請求項３に記載の発明に於いて、上記制御手段は、上記第２のスイッチによる撮影動作開始の指示に連動して上記第２の撮像手段の駆動を停止させることを特徴とする。
【００１６】
請求項９に記載の発明は、請求項８に記載の発明に於いて、上記制御手段は、上記撮影動作の終了後に、上記第２の撮像手段を再駆動させることを特徴とする。
【００１７】
請求項１０に記載の発明は、請求項１に記載の発明に於いて、上記制御手段は、特定用途向け集積回路であることを特徴とする。
【発明の効果】
【００１８】
本発明によれば、デジタル一眼レフタイプのカメラに於いて、２つの撮像素子を用いてスルー画表示を実現することのできるデジタルカメラを提供することができる。
【発明を実施するための最良の形態】
【００１９】
以下、図面を参照して、本発明の実施形態を説明する。
【００２０】
図１は、本発明の一実施形態を示すもので、一眼レフレックスタイプのデジタルカメラの構成を示す外観斜視図である。
【００２１】
図１に於いて、この一眼レフレックスタイプのデジタルカメラ（以下、カメラと略記する）１は、交換レンズとしてのレンズ鏡筒１０と、カメラ本体２０から主に構成されており、該カメラ本体２０の前面に対して、所望のレンズ鏡筒１０が着脱自在に設定されている。  
カメラ本体２０の上面には、レリーズ釦２１と、モードダイヤル２２と、パワースイッチレバー２３と、コントロールダイヤル２４等が設けられている。
【００２２】
レリーズ釦２１は、撮影準備動作及び露光動作を実行させるための釦である。このレリーズ釦２１は、第１レリーズスイッチと第２レリーズスイッチの２段式のスイッチで構成されており、レリーズ釦２１が半押し操作されることによって、第１レリーズスイッチがオンされて測光処理や測距処理などの撮影準備動作が実行される。また、レリーズ釦２１が全押し操作されることによって、第２レリーズスイッチがオンされて露光動作が実行される。
【００２３】
モードダイヤル２２は、撮影時の撮影モードを設定するための操作部材である。このモードダイヤル２２が所定方向に回転操作されることによって、撮影時の撮影モードが設定される。パワースイッチレバー２３は、当該カメラ１の電源のオン／オフをするための操作部材である。このパワースイッチレバー２３が回動操作されることにより、当該カメラ１のメイン電源のオン／オフが切り換えられる。
【００２４】
コントロールダイヤル２４は、撮影情報の設定を行うための部材である。このコントロールダイヤル２４が操作されることにより、撮影時に種々の設定が行われる。
【００２５】
ボディユニット２０の背面部には、撮影画像やメニュー等を表示するための液晶モニタ２６と、再生釦２７と、メニュー釦２８と、十字キー３０と、ＯＫ釦３１と、接眼光学系のファインダ３３等が配置されている。
【００２６】
上記再生釦２７は、カメラ１の動作モードを、後述するＳＤＲＡＭ６２や記録用のメディア６３に記録されたＪＰＥＧファイルから画像を再生できる再生モードに切り換えるための釦である。メニュー釦２８は、液晶モニタ２６にメニュー画面を表示させるための釦である。このメニュー画面は、複数の階層構造から成るメニュー項目によって構成されている。ユーザは、所望のメニュー項目を十字キー３０で選択することができ、ＯＫ釦３１で選択した項目を決定することができる。
【００２７】
図２は、本発明の一実施形態に係るカメラの概略的なシステム構成を示すブロック図である。
【００２８】
図２に於いて、被写体５からの光束は、レンズ鏡筒１０内の撮影レンズ１２を介して、上記カメラ本体２０内のメインミラー４０に導かれる。そして、このメインミラー４０で、図２に於いて上方に反射された光束は、ファインダ光学系を構成するプリズム４１に入射される。このプリズム４１に入射された光束は、一部が反射されて接眼レンズ４２に導かれて、撮影者の目によって視認される。また、プリズム４１に入射された光束のうち反射されずに透過された光束は、第２の撮像手段としてのスルー画用ＣＣＤ４３の撮像面上に結像される。このスルー画用ＣＣＤ４３で電気信号に変換されて生成された画像信号（第２の画像データ）は、アナログフロントエンド部（ＡＦＥ）４４を介して切り替え部５３に出力される。
【００２９】
上記ＡＦＥ４４は、スルー画用ＣＣＤ４３のデータのばらつきの調整等を行うと共に該ＣＣＤに対して撮像タイミングを供給するためのものである。そして、このＡＦＥ４４は、後述するＡＳＩＣ５５の制御によって、スルー画用ＣＣＤ４３から得られた画像データを切り替え部５３に出力する。尚、後述するＡＦＥ５１の構成、機能も、ＡＦＥ４４と同様である。
【００３０】
上記メインミラー４０は軸４０ａを中心に、図示矢印Ａ方向に回動可能に設けられているもので、その一部がハーフミラーで構成されている。メインミラー４０入射されてハーフミラーの部分を透過した光束は、撮影レンズ１２の光軸上で該メインミラー４０の後方（図２に於いて右側）に設けられているサブミラー４７によって反射され、ＡＦ／ＡＥセンサユニット４８に導かれる。このＡＦ／ＡＥセンサユニット４８は、カメラの自動測距及び測光を行うためのものである。
【００３１】
メインミラー４０は、被写体の観察時は図示されるように撮影光路内に位置しているが、撮影時は軸４０ａを中心に上方に回転して、図示されないが撮影光路より退避した位置に移動する。このとき、サブミラー４７は折りたたまれて、メインミラー４０と共に退避位置に移動する。すなわち、撮影時は、メインミラー４０及びサブミラー４７が退避位置にあるので、撮影レンズ１２を通った被写体５からの光束は、第１の撮像手段であるメイン（Ｍａｉｎ）ＣＣＤ５０の撮像面上に結像される。そして、このメインＣＣＤ５０で電気信号に変換されて生成された画像信号（第１の画像データ）は、アナログフロントエンド部（ＡＦＥ）５１を介して切り替え部５３に出力される。
【００３２】
切り替え部５３は、上記ＡＦＥ４４及びＡＦＥ５１からの出力を切り替えて、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、以下ＡＳＩＣと略記する）５５に供給する。このＡＳＩＣ５５は、制御手段としての機能と周辺回路の制御部としての機能を併せ持つものである。この場合、ＡＳＩＣ５５は、撮影レンズ１２、メインミラー４０、ＡＦ／ＡＥセンサユニット４８、ＡＦＥ４４及び５１、切り替え部５３、フラッシュメモリ（Ｆｌａｓｈ  Ｍｅｍｏｒｙ）５７、ＵＳＢ５８、ＴＦＴ液晶ドライバ５９、ＳＤＲＡＭ６２、記録用メディア（Ｍｅｄｉａ）６３等の制御を司るものである。
【００３３】
ＡＳＩＣ５５には、上述した撮影レンズ１２、メインミラー４０、ＡＦ／ＡＥセンサユニット４８、ＡＦＥ４４及び５１、切り替え部５３、フラッシュメモリ５７、ＵＳＢ５８、ＴＦＴ液晶ドライバ５９を介して液晶モニタ（ＴＦＴ）２６、ＳＤＲＡＭ６２、記録用メディア（Ｍｅｄｉａ）６３の他、スイッチ（ＳＷ）部６４等が接続されている。
【００３４】
上記撮影レンズ１２は、ＡＦ／ＡＥセンサユニット４８で得られた結果からＡＳＩＣ５５内で演算された駆動量に基づいて、光軸方向に移動される。また、メインミラー４０及びサブミラー４７は、ＡＳＩＣ５５の制御によって、所定のタイミングで観察位置、退避位置に移動されるようになっている。
【００３５】
上記フラッシュメモリ５７、ＳＤＲＡＭ６２及び記録用メディア６３は、このカメラ１の記憶領域として設けられている。例えば、フラッシュメモリ５７には、カメラを動作させるためのコードや、メニュー設定、調整データ等が記憶されている。また、ＳＤＲＡＭ６２は、画像データの処理や一時保管用のバッファとして使用される。更に、記録用メディア６３は、図示されないカメラのインターフェイスを介してカメラ本体２０に対して脱着可能な各種のメモリカードや外付けのハードディスクドライブ（ＨＤＤ）等の外部記録媒体である。
【００３６】
上記ＵＳＢ５８は、プリンタ等の外部機器と接続するためのインターフェイスである。ＴＦＴ液晶ドライバ５９は、液晶モニタ２６を駆動するためのものであり、ＡＳＩＣ５５の制御に従って、指定されたデータや画像を液晶モニタ２６に表示させる。
【００３７】
上記スイッチ部６４は、上述したレリーズ釦２１やメニュー釦２８、ＯＫ釦３１等の各種釦やスイッチから成っている。
【００３８】
図３は、図２に示されるＡＳＩＣ５５及びその周辺部の構成を示したブロック構成図である。
【００３９】
ＡＳＩＣ５５内には、このカメラ全体の制御を司るメインのＣＰＵ７０を有している。このＣＰＵ７０には、入出力部（Ｇｌｏｂａｌ  Ｉｎｐｕｔ／Ｏｕｔｐｕｔ；ＧＩＯ）７１と、フラッシュメモリ５７に対応するフラッシュメモリインターフェイス（Ｆｌａｓｈ  Ｍｅｍｏｒｙ  Ｉｎｔｅｒｆａｃｅ；ＦＭＩ）７２とが接続されている。
【００４０】
ＣＣＤ  Ｂｌｏｃｋ（ＣＣＤブロック）４５及び５２は、ＡＳＩＣ５５内のＣＰＵ７０からＧＩＯ７１を介してタイミングが制御されるもので、各々のＣＣＤから出力画像データは、切り替え部５３で選択された方がＡＳＩＣ５５内に取り込まれるようになっている。尚、ＣＣＤブロック４５は、図２に示されるスルー画用ＣＣＤ４３とＡＦＥ４４とで構成されるものであり、ＣＣＤブロック５２は図２に示されるメインＣＣＤ５０とＡＦＥ５１とで構成されるものとする。
【００４１】
上記ＣＰＵ７０は、また、次の各部を制御する。すなわち、ＣＣＤインターフェイス（ＣＣＤＩ／Ｆ）８０と、プリプロセッサ（Ｐｒｅ  Ｐｒｏ）８１と、イメージプロセッサ（Ｉｍａｇｅ  Ｐｒｏｃｅｓｓｏｒ）８２と、ＪＰＥＧ回路８３と、メディアコントローラ（ＭｅｄｉａＣ）８５と、外部バス（ＥＸＴＢＵＳ）８８と、ＳＤＲＡＭコントローラ（ＳＤＲＡＭＣ）８９と、ビデオコントローラ（ＶｉｄｅｏＣ）９０とが、ＣＰＵ７０によって制御される。また、上記プリプロセッサ８１、イメージプロセッサ８２、ＪＰＥＧ回路８３、メディアコントローラ（ＭｅｄｉａＣ）８５、外部バス８８、ＳＤＲＡＭコントローラ８９及びビデオコントローラ（ＶｉｄｅｏＣ）９０と、フラッシュメモリインターフェイス７２は、それぞれ内部バス７５によって接続されている。
【００４２】
上記ＣＣＤインターフェイス８０は、切り替え部５３を介してＣＣＤブロック４５または５２より供給される画像データを取り込むためのものである。プリプロセッサ８１は、ＣＣＤインターフェイス８０より供給される画像データの前処理、例えば欠陥の補正等を行うためのものである。イメージプロセッサ８２は、例えばホワイトバランスや画像のリサイズ等の画像処理を行うためのものである。ＪＰＥＧ回路８３では、イメージプロセッサ８２と共に画像データのＪＰＥＧ化を行う。
【００４３】
メディアコントローラ８５は、上述した記録用メディア６３の制御を行うためのものである。外部バス８８は、上述した撮影レンズ１２をはじめとするレンズや機構系の各部の駆動部１３の制御を行うためのものである。同様に、ＳＤＲＡＭコントローラ８９はＳＤＲＡＭ６２へのデータの制御を行い、ビデオコントローラ９０は液晶モニタ２６へ表示される画像の制御を行う。
【００４４】
このような構成に於いて、ＣＰＵ７０から入出力部７１を介して、ＣＣＤブロック４５及び５２に撮像タイミングが出力される。また、ＣＰＵ７０から入出力部７１を介して切り替え部５３に対して、ＣＣＤブロック４５、５２の何れの画像を取り込むかが制御される。
【００４５】
切り替え部５３で何れか選択された画像データが、ＣＣＤインターフェイス８０を経てＡＳＩＣ５５内に取り込まれると、プリプロセッサ８１にて欠陥補正等の前処理が行われる。そして、ＳＤＲＡＭコントローラ８９を経てＳＤＲＡＭ６２に一旦格納される。次いで、ＳＤＲＡＭ６２から再度ＳＤＲＡＭコントローラ８９を経てイメージプロセッサ８２に転送されて、ここでＪＰＥＧ回路８３と共に所定の画像処理が行われる。その後、ＳＤＲＡＭコントローラ８９からＳＤＲＡＭ６２に格納される。更に、このＳＤＲＡＭ６２に格納された画像は、ＳＤＲＡＭコントローラ８９、内部バス７５からメディアコントローラ８５を介して、記録用メディア６３に書き込まれる。
【００４６】
また、ＣＣＤブロック５２より切り替え部５３を介して取り込まれた画像は、一旦ＳＤＲＡＭ６２に格納された後、イメージプロセッサ８２で画像処理が行われる。そして、この画像処理が施された画像であるレックビュー（Ｒｅｃ．Ｖｉｅｗ）画像が、ビデオコントローラ９０を介して液晶モニタ２６に表示される。
【００４７】
次に、図４のフローチャートを参照して、本発明の一実施形態に於けるカメラのスルー画モードの動作を説明する。尚、このカメラの動作は、主にＣＰＵ７０の制御によって行われる。
【００４８】
図示されないカメラのメインルーチンから、モードダイヤル２２によるスルー画モードの設定や、図示されないスルー画モード設定釦の操作等によりこのスルー画モードのルーチンに入ると、先ず、ステップＳ１に於いて、スルー画用ＣＣＤ４３の電源がオンされる。次いで、ステップＳ２にて、切り替え部５３がスルー画用ＣＣＤ４３側に設定される。更に、ステップＳ３では、スルー画用ＣＣＤ４３を動作させるためのフレームレートが初期設定される。ここでは、「３０フレーム／ｓｅｃ」に設定される。そして、ステップＳ４にて、スルー画表示の開始が指示される。
【００４９】
次に、ステップＳ５に於いて、レリーズ釦２１の第１レリーズスイッチ、すなわち２段式のレリーズスイッチの半押し状態が判定される。ここで、第１レリーズスイッチがオンされなければ、ステップＳ６に移行して、モード変更がなされたか否かが判定される。その結果、モード変更がなされていなければ上記ステップＳ５に移行して、再度第１レリーズスイッチの状態が判定される。一方、モード変更がなされた場合、すなわちスルー画モード以外のモードに変更された場合は、本ルーチンを抜けて、図示されないメインルーチンに復帰する。
【００５０】
上記ステップＳ５にて第１レリーズスイッチがオンされたならば、ステップＳ７に移行してメインＣＣＤ５０の電源がオンされる。そして、続くステップＳ８に於いて、ＡＳＩＣ５５の状態が判定される。ここで、ＡＳＩＣ５５に高負荷が掛かっている場合、例えば、被写体が低輝度であるために常時測距、常時測光に要する時間が長くなる場合や図示されないフラッシュ装置の充電等が行われている場合は、続くステップＳ８にてスルー画のフレームレートが低下されるように指示される。この場合、フレームレートを「３０フレーム／ｓｅｃ」から「１５フレーム／ｓｅｃ」に低下させる。但し、フレームレートの変更はこのような値に限られるものではない。また、段階的に低下させることも可能である。一方、上記ステップＳ８に於いてＡＳＩＣ５５に高負荷が掛かっていない場合は、フレームレートを変更せずにステップＳ１０へ移行する。
【００５１】
ステップＳ１０では、ＡＦ／ＡＥセンサユニット４８及びＣＰＵ７０によって、被写体５に対して測光及び露光演算が実行される。続いてステップＳ１１では、ＡＦ／ＡＥセンサユニット４８、駆動部１３及びＣＰＵ７０によって、測距及び焦点調節が実行される。このように、ステップＳ１０及びＳ１１では、所定の演算処理（ＡＥ、ＡＦ）が実行される。
【００５２】
次いで、ステップＳ１２に於いて、上記ステップＳ８で判定されたＡＳＩＣ高負荷の有無に応じたフラグが判定される。つまり、上記ステップＳ８にてＡＳＩＣ５５に高負荷が掛かっていると判定された場合は、ステップＳ９にてフレームレートが低下されているので、これを復帰させるべく、ステップＳ１３に移行してスルー画のフレームレートの復帰指示がなされる。一方、フレームレートが変更されていない場合は、ステップＳ１３はスキップする。
【００５３】
その後、ステップＳ１４に於いて、レリーズ釦２１の第２レリーズスイッチ、すなわち２段式のレリーズスイッチの全押し状態が判定される。ここで、第２レリーズスイッチがオンされていなければ、ステップＳ１５に移行して第１レリーズスイッチの状態が判定される。その結果、第１レリーズスイッチがオンされていれば上記ステップＳ１４に移行し、オンされていなければ上記ステップＳ５へ移行して、それぞれ以降の処理動作が行われる。
【００５４】
上記ステップＳ１４にて第２レリーズスイッチがオンされていれば、ステップＳ１６でスルー画表示の終了が指示された後、ステップＳ１７に移行してスルー画用ＣＣＤ４３の電源がオフにされる。続いて、ステップＳ１８では、切り替え部５３がメインＣＣＤ５０側に切り替えられる。
【００５５】
その後、ステップＳ１９にて、メインミラー４０が駆動部１３によって撮影光路内から図示されない退避位置へ移動（ミラーアップ）されるように指示される。次いで、ステップＳ２０にてメインＣＣＤ５０による撮像動作が実行される。撮像動作が終了すると、続くステップＳ２１にて、退避位置に移動されていたメインミラー４０が、駆動部１３によって再び撮影光路内の観察位置に移動（ミラーダウン）されるように指示される。
【００５６】
ステップＳ２２では、上記ステップＳ２０でメインＣＣＤ５０に取り込まれた画像に対応する画像データを読み出すように指示される。更に、ステップＳ２３にてスルー画用ＣＣＤ４３の電源がオンされる。そして、ステップＳ２４にてメインＣＣＤ５０に取り込まれた画像に対応する画像データの読み出しが完了すると、続くステップＳ２５にて、ＪＰＥＧ圧縮等の所定の画像処理を行った後、上記画像データの記録用メディア６３への書き込み動作が開始されるように指示される。また、それと同時に、液晶モニタ２６に撮影された画像が表示されるように、レックビューの処理が実行される。その後、上記ステップＳ２へ移行する。
【００５７】
このように、本実施形態によれば、１つのＡＳＩＣ５５によってスルー画用ＣＣＤ４３と撮影用のメインＣＣＤ５０を駆動し、切り替え部５３によって何れかのＣＣＤの出力を選択するようにしているので、デジタル一眼レフカメラに於いてもスルー画表示を実現することができる。また、１つのＡＳＩＣによってスルー画表示を実現させているので、構成が簡単で、装置の小型化、低コスト化にも寄与する。
【００５８】
また、上述した実施形態に於いて、カメラの電力に余裕がある場合は、図４のフローチャートに於けるステップＳ１６及びＳ２２の、スルー画用ＣＣＤ４３の電源の処理は行わなくとも良い。
【００５９】
尚、上述した実施形態では、第１及び第２の撮像手段をＣＣＤで構成した例で説明したが、これに限られるものではなく、ＣＭＯＳ等の撮像素子で構成しても良いのは勿論である。
【００６０】
以上、本発明の実施形態について説明したが、本発明は上述した実施形態以外にも、本発明の要旨を逸脱しない範囲で種々の変形実施が可能である。
【図面の簡単な説明】
【００６１】
【図１】本発明の一実施形態を示すもので、一眼レフレックスタイプのデジタルカメラの構成を示す外観斜視図である。
【図２】本発明の一実施形態に係るカメラの概略的なシステム構成を示すブロック図である。
【図３】図２に示されるＡＳＩＣ５５及びその周辺部の構成を示したブロック構成図である。
【図４】本発明の一実施形態に於けるカメラのスルー画モードの動作を説明するフローチャートである。
【符号の説明】
【００６２】
１…カメラ、５…被写体、１０…レンズ鏡筒、１２…撮影レンズ、１３…駆動部、２１…レリーズ釦、２６…液晶モニタ、４０…メインミラー、４１…プリズム、４２…接眼レンズ、４３…スルー画用ＣＣＤ、４４、５１…アナログフロントエンド部（ＡＦＥ）、４５、５２…ＣＣＤブロック、４７…サブミラー、４８…ＡＦ／ＡＥセンサユニット、５０…メインＣＣＤ、５３…切り替え部、５５…特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ（ＡＳＩＣ））、５７…フラッシュメモリ、５８…ＵＳＢ、５９…ＴＦＴ液晶ドライバ、６２…ＳＤＲＡＭ、６３…記録用メディア（Ｍｅｄｉａ）、６４…スイッチ（ＳＷ）部、７０…ＣＰＵ、８２…イメージプロセッサ。
【図１】
2007028075.tif 000003
【図２】
2007028075.tif 000004
【図３】
2007028075.tif 000005
【図４】
2007028075.tif 000006